(57)【要約】      （修正有）【課題】巻取紙を回転させるモータのインバータ制御を安価に実現する輪転機の給紙部を提供する。【解決手段】複数の巻取紙２ａ〜２ｃが装着され、印刷中の巻取紙２ａから新しい巻取紙２ｂに紙継ぎを行うことにより輪転機の印刷部に連続的に給紙する輪転機の給紙部において、巻取紙２ａ〜２ｃの回転軸を回転させるために各巻取紙を装着するアームに設けられた複数台のモータ４ａ〜４ｃのインバータ制御を、インバータ制御装置を前記複数台のモータのいずれかに選択的に接続する切替装置を設ける。【選択図】図１
0003158136.tif 000002
【実用新案登録請求の範囲】
【請求項１】
複数の巻取紙が装着され、印刷中の巻取紙から新しい巻取紙に紙継ぎを行うことにより輪転機の印刷部に連続的に給紙する輪転機の給紙部であって、
巻取紙の回転軸を回転させるために各巻取紙を装着するアームに設けられた複数台のモータと、
前記複数台のモータをインバータ制御する１台のインバータ制御装置と、
前記インバータ制御装置を前記複数台のモータのいずれかに選択的に接続する切替装置とを備えた輪転機の給紙部。
【請求項２】
モータがインダクションモータである請求項１に記載の輪転機の給紙部。
【考案の詳細な説明】
【技術分野】
【０００１】
本考案は、新聞等を印刷する輪転機における給紙部に関する。
【背景技術】
【０００２】
輪転機の給紙部には複数の巻取紙が装着され、印刷中の巻取紙から新しい巻取紙に紙継ぎを行うことにより、輪転機の印刷部に連続的に給紙が行われる。
【０００３】
紙継ぎの際には、新しい巻取紙を予め回転（プリドライブ）させ、印刷中の巻取紙と周速を一致させる必要がある。新しい巻取紙を予め回転させるプリドライブ装置としては、非特許文献１に記載されているように、軸端ドライブ方式とベルトドライブ方式があり、さらに軸端ドライブ方式には、（１）軸端を歯付きベルトで駆動する方式、（２）軸端をギヤの噛み合わせで駆動する方式、（３）巻取紙を装着する各アームに取り付けたモータで軸端を各々駆動する方式がある。
【０００４】
このうち、上記（１）及び（２）の方式では、軸端を駆動させるモータは１台であり、この１台のモータによる駆動機構を巻取紙の軸方向に移動させることにより、紙幅の異なる巻取紙のプリドライブに対応させる。しかし、この方式では上述のとおり駆動機構を巻取紙の軸方向に移動させる必要があることから、そのための機械機構が必要となり、給紙部の製造コストが高くなる。
【０００５】
一方、上記（３）の方式では、モータと巻取紙が一対一の関係にあることから、モータによる駆動機構を移動させる必要はなくなるが、モータを巻取紙の数に合わせて複数台設ける必要がある。従来、モータとしては、制御性能に優れたサーボモータが使用されていたが、サーボモータは高価であるため、これを複数台設けると給紙部の製造コストが高くなる。これに対して、近年、インバータ制御装置の性能が向上し、安価なインダクションモータによってサーボモータ並の制御性能を発揮できるようになってきたが、インバータ制御装置とモータを一対一の組合せで使用すると、高価なインバータ制御装置を複数設ける必要があることから、依然として給紙部の製造コストが高くなるという問題がある。
【先行技術文献】
【非特許文献】
【０００６】
【非特許文献１】社団法人日本新聞協会技術委員会編、「新聞印刷ハンドブック  改訂版」、社団法人日本新聞協会、２００６年４月１日、ｐ．１１７〜ｐ．１１８
【考案の概要】
【考案が解決しようとする課題】
【０００７】
本考案が解決しようとする課題は、軸端ドライブ方式によって巻取紙のプリドライブを行う輪転機の給紙部において、その製造コストを抑えることにある。
【課題を解決するための手段】
【０００８】
本考案は、複数の巻取紙が装着され、印刷中の巻取紙から新しい巻取紙に紙継ぎを行うことにより輪転機の印刷部に連続的に給紙する輪転機の給紙部であって、巻取紙の回転軸を回転させるために各巻取紙を装着するアームに設けられた複数台のモータと、前記複数台のモータをインバータ制御する１台のインバータ制御装置と、前記インバータ制御装置を前記複数台のモータのいずれかに選択的に接続する切替装置とを備えたものである。
【０００９】
本考案においてモータとしては、安価なインダクションモータを使用することができる。すなわち、本考案においてモータの機能は、プリドライブと後述する巻取紙の巻き取りに限定しているので、モータの速度変速比率は小さくて済み、インダクションモータでも対応可能である。
【考案の効果】
【００１０】
本考案によれば、切替装置によって、インバータ制御装置を複数台のモータのいずれかに選択的に接続するので、１台のインバータ制御装置によって複数台のモータのインバータ制御を行うことができる。また、モータとしては、安価なインダクションモータを使用することができる。さらに、モータを巻取紙と一対一の関係で設けるので、モータによる駆動機構を移動させる必要もない。よって、輪転機の給紙部の製造コストを抑えることができる。
【図面の簡単な説明】
【００１１】
【図１】本考案に係る輪転機の給紙部を示し、（ａ）は正面図、（ｂ）は側面図である。
【図２】複数台のモータのインバータ制御を１台のインバータ制御装置で行うための回路構成図である。
【考案を実施するための形態】
【００１２】
以下、図面に示す実施例に基づき本考案の実施の形態を説明する。
【００１３】
図１は本考案に係る輪転機の給紙部を示し、（ａ）は正面図、（ｂ）は側面図である。本実施例では、アーム１ａ〜１ｃを備える三本アーム１に、３個の巻取紙２ａ〜２ｃが装着されている。図示の状態では、巻取紙２ａが印刷に使用されており、この印刷中の巻取紙２ａの径が所定値以下になると、新しい巻取紙２ｂに紙継ぎが行われる。その後、印刷中の巻取紙２ｂの径が所定値以下になると、新しい巻取紙２ｃに紙継ぎが行われる。このように紙継ぎを順次繰り返すことにより輪転機の印刷部に連続的に給紙する。
【００１４】
紙継ぎの際には、三本アーム１がその主軸１ｄ周りに回転（図１（ｂ）の矢印方向）され、図１（ｂ）に示すように、印刷中の巻取紙２ａの走行経路に新しい巻取紙２ｂを近付ける。また、新しい巻取紙２ｂを予め回転（プリドライブ）させ、印刷中の巻取紙２ａと周速を一致させる。その後、ペースターアーム３を使用して紙継ぎを行う。
【００１５】
本実施例では、紙継ぎの際に新しい巻取紙をプリドライブさせるために減速機付きのインダクションモータ４ａ〜４ｃ（以下、単に「モータ４ａ〜４ｃ」という。）を使用する。これらのモータ４ａ〜４ｃは巻取紙２ａ〜２ｃごと（アーム１ａ〜１ｃごと）に設けられている。すなわち、モータ４ａはアーム１ａに設けられて巻取紙２ａの回転軸を回転させ、モータ４ｂはアーム１ｂに設けられて巻取紙２ｂの回転軸を回転させ、モータ４ｃはアーム１ｃに設けられて巻取紙２ｃの回転軸を回転させる。
【００１６】
また、本実施例では、紙継ぎ終了後、使用済みの巻取紙の回転を止めるために巻取紙２ａ〜２ｃごと（アーム１ａ〜１ｃごと）にブレーキ装置５ａ〜５ｃが設けられている。ブレーキ装置５ａ〜５ｃによって使用済みの巻取紙の回転を止めたとしても、その使用済みの巻取紙からは紙が払い出された状態となっている。そこで、本実施例では、使用済みの巻取紙の回転を止めた後に、モータ４ａ〜４ｃを使用して紙を巻き取るようにしている。この巻き取り時のモータ４ａ〜４ｃの回転方向は、当然、上述のプリドライブ時とは逆である。
【００１７】
ここで、モータ４ａ〜４ｃの制御方式としてはインバータ制御を採用しているが、本実施例では、３台のモータ４ａ〜４ｃのインバータ制御を１台のインバータ制御装置で行う。図２には、そのための回路構成図を示す。
【００１８】
図２においてインバータ制御装置６には三相電源（Ｒ，Ｓ，Ｔ）が供給される。そして、インバータ制御装置６は、その出力を三相ケーブル（Ｕ，Ｖ，Ｗ）を介してモータ４ａ〜４ｃに供給し、インバータ制御を行う。三相ケーブル（Ｕ，Ｖ，Ｗ）の途中にはスリップリング７を設け、上述した紙継ぎ時の三本アームの回転に対応できるようにしている。
【００１９】
スリップリング７の下流側には、電磁接触器８ａ〜８ｃを備えた切替装置８が設けられている。この切替装置８によって、インバータ制御装置６を３台のモータ４ａ〜４ｃのいずれかに選択的に接続する。すなわち、モータ４ａのインバータ制御を行うときには電磁接触器８ａのみを導通させ、モータ４ｂのインバータ制御を行うときには電磁接触器８ｂのみを導通させ、モータ４ｃのインバータ制御を行うときには電磁接触器８ｃのみを導通させる。
【００２０】
以上の構成において、紙継ぎの動作手順は以下のとおりである。
【００２１】
（１）先に図１（ｂ）を参照して説明したように、紙継ぎの際には、その準備動作の一つとして新しい巻取紙２ｂを予め回転（プリドライブ）させ、印刷中の巻取紙２ａと周速を一致させる必要がある。このために、切替装置８において電磁接触器８ｂのみを導通させ、インバータ制御装置６の出力を、新しい巻取紙２ｂに対応するモータ４ｂに供給し、そのインバータ制御を行う。なお、印刷中の巻取紙２ａは、ブレーキ装置５ａによって張力調整しているだけで、インバータ制御していない。
【００２２】
（２）印刷中の巻取紙２ａから新しい巻取紙２ｂへの紙継ぎが終了したら、電磁接触器８ｂを開放する。
【００２３】
（３）その後、図１に示したブレーキ装置５ａを作動させ、使用済みの巻取紙２ａの回転を止める。
【００２４】
（４）使用済みの巻取紙２ａの回転を止めたとしても、その使用済みの巻取紙２ａからは紙が払い出された状態となっている。そこで、使用済みの巻取紙２ａの回転を止めた後に、モータ４ａを使用して紙を巻き取る。このために、切替装置８において電磁接触器８ａのみを導通させ、インバータ制御装置６の出力を、使用済みの巻取紙２ａに対応するモータ４ａに供給し、そのインバータ制御を行う。
【００２５】
（５）巻取紙２ｂから巻取紙２ｃへの紙継ぎ、巻取紙２ｃから巻取紙２ａへの紙継ぎの際にも、上記と同様の動作を繰り返す。
【００２６】
なお、以上の実施例では三本アームを使用して３個の巻取紙を装着したが、装着する巻取紙の数は２個以上であれば、とくに制限はされない。また、切替装置の構成も電磁接触器を使用したものには限定されず、要するにインバータ制御装置を複数台のモータのいずれかに選択的に接続するできるものであればよい。また、ブレーキ装置としては、ディスクブレーキ、ドラムブレーキ等が考えられる。
【符号の説明】
【００２７】
１  三本アーム
１ａ〜１ｃ  アーム
２ａ〜２ｃ  巻取紙
３  ペースターアーム
４ａ〜４ｃ  モータ（インダクションモータ）
５ａ〜５ｃ  ブレーキ装置
６  インバータ制御装置
７  スリップリング
８  切替装置
８ａ〜８ｃ  電磁接触器
【図１】
0003158136.tif 000003
【図２】
0003158136.tif 000004